(57)【要約】      （修正有）【課題】水充填能力の向上を図ることが出来る可動部構造を有した低コストの水充填機を提供する。【解決手段】洗浄装置の保持アームは、４部品からなる洗浄装置の保持アームカムを有する。洗浄装置の保持アームは、ネスト（ｎｅｓｔ）カムの形態で得られる。このスロット内には、ローラーねじが移動する。直線状のラック歯車が、ねじベアリングのねじ部に取り付けられている。洗浄装置の保持アームカムは、所望の水噴出時間及び水充填時間を提供する幾何学的形状を有する。当該洗浄装置の保持アームカムは、人の手によって形成されないため、短時間で均一に製造することができる。磨耗又は故障した洗浄装置の保持アームカムを、非常に簡単かつ素早く、新しい洗浄装置の保持アームカムに交換することができるため、熟練した技術者により洗浄装置の保持アームカムを交換する必要がなくなり、製造コストを低減することができる。【選択図】図１
0003175755.tif 000002
【実用新案登録請求の範囲】
【請求項１】
水充填機における洗浄装置の保持アームにおいて、
第１ねじ（１）と、洗浄装置の保持アームジョー部（２）と、ヒンジ（３）と、平歯車（４）と、リニア摺動レール（５）と、第１ナット（６）と、ラック・ピニオン歯車（７）と、第２ナット（８）と、ねじベアリング（９）と、洗浄装置の保持アームカム（１０）とを備えたことを特徴とする洗浄装置の保持アーム。
【請求項２】
請求項１に記載の洗浄装置の保持アームにおいて、
前記洗浄装置の保持アームカム（１０）は、所望の幾何学的パターンで形成した溝（１０．１）を含むことを特徴とする洗浄装置の保持アーム。
【請求項３】
請求項１又は２に記載の洗浄装置の保持アームにおいて、
前記平歯車（４）は、前記洗浄装置の保持アームジョー部（２）の穴（２．１）に取り付けられていることを特徴とする洗浄装置の保持アーム。
【請求項４】
請求項１〜３のいずれかに記載の洗浄装置の保持アームにおいて、
前記平歯車（４）は、前記洗浄装置の保持アームジョー部（２）の穴（２．１）に取り付けられ、
前記ヒンジ（３）は、前記洗浄装置の保持アームジョー部（２）に取り付けられることを特徴とする洗浄装置の保持アーム。
【請求項５】
請求項１〜４のいずれかに記載の洗浄装置の保持アームにおいて、
前記平歯車（４）及び前記ヒンジ（３）は、第３穴（３．１）、第１穴（２．２）、第７穴（４．１）、第２穴（２．３）、及び第４穴（３．２）の順番に、前記第１ねじ（１）を前記各穴に貫通させて前記第１ナット（６）に締め付けることにより、前記洗浄装置の保持アームジョー部（２）に取り付けられていることを特徴とする洗浄装置の保持アーム。
【請求項６】
請求項１〜５のいずれかに記載の洗浄装置の保持アームにおいて、
前記ねじベアリング（９）のねじ部（９．１）は、前記ラック・ピニオン歯車（７）の第２０穴（７．１）に貫通して前記第２ナット（８）により締め付けられていることを特徴とする洗浄装置の保持アーム。
【請求項７】
請求項１〜６のいずれかに記載の洗浄装置の保持アームにおいて、
前記リニア摺動レール（５）は、ベアリング（５．１）及び連結部（５．２）を含むことを特徴とする洗浄装置の保持アーム。
【請求項８】
請求項７に記載の洗浄装置の保持アームにおいて、
前記ベアリング（５．１）は、前記連結部（５．２）に取り付けられていることを特徴とする洗浄装置の保持アーム。
【請求項９】
請求項１〜８のいずれかに記載の洗浄装置の保持アームにおいて、
前記洗浄装置の保持アームカム（１０）が取り付けられた洗浄装置の保持アームカムスタンド（１２）を備えたことを特徴とする洗浄装置の保持アーム。
【請求項１０】
請求項１〜９のいずれかに記載の洗浄装置の保持アームにおいて、
前記洗浄装置の保持アームカム（１０）に取り付けられた洗浄装置の保持アーム連結フランジ（１１）を備えたことを特徴とする洗浄装置の保持アーム。
【請求項１１】
請求項１に記載の洗浄装置の保持アームにおいて、
前記洗浄装置の保持アームカム（１０）が取り付けられた洗浄装置の保持アームカムスタンド（１２）を備えたことを特徴とする洗浄装置の保持アーム。
【請求項１２】
請求項２に記載の洗浄装置の保持アームにおいて、
前記溝（１０．１）には、前記ラック・ピニオン歯車（７）が取り付けられた前記ねじベアリング（９）のベアリング部が挿入されていることを特徴とする洗浄装置の保持アーム。
【請求項１３】
請求項１０に記載の洗浄装置の保持アームにおいて、
前記ヒンジ（３）は、前記洗浄装置の保持アーム連結フランジ（１１）上に設けられていることを特徴とする洗浄装置の保持アーム。
【請求項１４】
請求項１０に記載の洗浄装置の保持アームにおいて、
前記ヒンジ（３）が、前記洗浄装置の保持アーム連結フランジ（１１）上に設けられ、
第２ねじ（１５）が、前記ヒンジ（３）の第６穴（３．４）に貫通し、前記リニア摺動レール（５）の第１７穴（５．２．６）に取り付けられ、
前記リニア摺動レール（５）が、前記ラック・ピニオン歯車（７）の先端に取り付けられ、
前記ラック・ピニオン歯車（７）が、前記ねじベアリング（９）に取り付けられていることを特徴とする洗浄装置の保持アーム。
【請求項１５】
請求項１０又は１４に記載の洗浄装置の保持アームにおいて、
前記ヒンジ（３）が、前記洗浄装置の保持アーム連結フランジ（１１）上に設けられ、
前記ねじベアリング（９）が、前記ラック・ピニオン歯車（７）に取り付けられ、
前記ラック・ピニオン歯車（７）が、前記リニア摺動レール（５）を有し、
第２ねじ（１５）が、前記ヒンジ（３）の第５穴（３．３）に貫通し、前記リニア摺動レール（５）の第１９穴（５．２．８）に取り付けられていることを特徴とする洗浄装置の保持アーム。
【請求項１６】
請求項１０、１３、１４、及び１５のいずれかに記載の洗浄装置の保持アームにおいて、
第２ねじ（１５）が、前記洗浄装置の保持アーム連結フランジ（１１）の一方の穴を通過し、前記リニア摺動レール（５）の第１６穴（５．２．５）に取り付けられていることを特徴とする洗浄装置の保持アーム。
【請求項１７】
請求項１６に記載の洗浄装置の保持アームにおいて、
第２ねじ（１５）が、前記洗浄装置の保持アーム連結フランジ（１１）の他方の穴を通過し、前記リニア摺動レール（５）の第１８穴（５．２．７）に取り付けられていることを特徴とする洗浄装置の保持アーム。
【考案の詳細な説明】
【技術分野】
【０００１】
本考案は、０．３３〜１９リットル（５ガロン）のボトルを充填する水充填機の洗浄装置に使用されるものである。
【背景技術】
【０００２】
現代に使用されている水充填機は、洗浄装置、充填装置、及びキャッピング装置を有する。ボトルは、加圧水又は滅菌空気により洗浄される。使用済みの（返却可能な）ボトル又はデミジョン（demijohn）は、よく洗浄する必要がある。洗浄装置の保持アームは、ボトル又はデミジョンを保持して、１８０°回転させる。１８０°回転されたボトルは、内部に水又は滅菌空気が噴射されて、洗浄される。洗浄後、ボトル又はデミジョンは、洗浄装置の保持アームによって、起立状態になるまで１８０°回転される。洗浄装置で洗浄され、起立状態になるまで回転されたボトルは、充填装置に移送される。ボトル又はデミジョンは、充填装置により充填され、充填後にキャッピング装置に移送されて、密閉される。
【０００３】
洗浄装置には、ボトル又はデミジョンを１８０°回転させるための機構が存在する。この機構は、洗浄装置の保持アーム部にあり、該保持アーム部は、洗浄装置の保持アームカム移動部と洗浄装置のカムとからなる。洗浄装置のカムは、棒（bar）を人の手で成形して製造される。洗浄装置のカムは、人の手で成形され、製造に時間が掛かり（最低３日間）、個体差がある。腐食や他の原因によってカムが変化すると、大きな困難が生じる。熟練した技術者が、腐食又は他の技術的な原因により交換が必要になった洗浄装置のカムを、交換したり、調節したり（手で成形）する必要がある。
【０００４】
水充填機の製造者が、全国における、さらには世界中における、多くの場所で稼動する水充填機の洗浄装置のカムの交換をすることは困難であり、サービス及びメンテナンスのコストが増大するという問題がある。
【０００５】
水充填機の製造中に作られる洗浄装置のカムの幾何学的形状は、顧客が要求する洗浄時間及び水噴出時間に基づいて作られる。水充填機の製造後に洗浄時間及び水噴出時間を変えることは、非常に困難である。この困難性を受け入れた上で、水充填機の製造後に洗浄時間及び水噴出時間を変えようとしても、これらを十分に変えることはできない。水充填機の製造後に洗浄時間及び水噴出時間を変えることは、非常に困難であり、非常に高コストなのである。かかるコストと労力を費やすことができたとしても、洗浄時間及び噴出時間をいかなる値にも変えることができるわけではない。
【０００６】
洗浄装置のカム上を移動する洗浄装置のアームカム移動部は、二面で洗浄装置のカムと当接する。この二面で当接することから、これら二面から生じる圧力が高くなる。一般的に、プラスチック製又はＤＥＬＲＩＮＥ（登録商標）製の洗浄装置のアームカム移動部の二面は、高熱になり、変形する。これにより、システムが機能しなくなったり、適切に動作しなくなったりする。洗浄装置のアームカム移動部を、自己潤滑材料製にしても、この問題を解決することはできない。
【０００７】
洗浄装置のアームカム移動部のスムーズな移動には、ある程度の注油が必要だった。洗浄装置のカムに用いられる潤滑油は、食品加工用（food grade）のものであっても、環境内の塵が付着した面により、衛生状態に悪影響が及ぼされる。
【０００８】
かかる複数部品からなる洗浄装置の保持アーム部により、水充填機のコストが増大する。洗浄装置のアームカム移動部が洗浄のカム上を移動することにより、洗浄装置の保持アーム部の部品どうしが分解され易くなり、メンテナンス及びサービスのコストが増大する。
【０００９】
現代に使用されているような洗浄装置のカム及び洗浄装置の保持アームカム移動部からなる洗浄装置の保持アーム部を有する水充填機の能力は、１時間当たりボトル最大２０，０００個である。
【考案の概要】
【考案が解決しようとする課題】
【００１０】
本考案は、上記の欠点を解消するものである。
【００１１】
本考案に係る洗浄装置の保持アームは、４部品からなる洗浄装置の保持アームカムを有する。洗浄装置の保持アームは、ネスト（nest）カムの形態で得られる。このスロット内には、ローラーねじが移動する。直線状のラック歯車が、ねじベアリングのねじ部に取り付けられている。
【００１２】
洗浄装置の保持アームカムは、所望の水噴出時間及び水充填時間を提供する幾何学的形状を有する。当該洗浄装置の保持アームカムは、人の手によって形成されないため、短時間で均一に製造することができる。磨耗又は故障した洗浄装置の保持アームカムを、非常に簡単かつ素早く、新しい洗浄装置の保持アームカムに交換することができるため、熟練した技術者により洗浄装置の保持アームカムを交換する必要がなくなり、製造コストを低減することができる。
【００１３】
ねじベアリングは、洗浄装置の保持アームカム内を移動する間、複数の当接点を有する。複数の当接点により、当接する面にかかる力を低減することができる。これにより、洗浄装置の保持アームカム及びねじベアリングの腐食を防止し、寿命を長くすることができる。
【００１４】
ねじベアリングが洗浄装置の保持アームカム内を移動する間、ねじベアリングに取り付けられたラック歯車も移動する。ねじベアリングに連動して、ラック歯車が前方又は後方に移動されることにより、平歯車が駆動される。この駆動により、ボトルが１８０°回転され、又は倒立状態になるまで回転される。本考案は、ラック歯車−平歯車機構を有する洗浄装置の保持アームを提供する。これにより、充填機のコストが低減される。
【００１５】
本考案に係る充填機の能力は、１時間当たり最大３１，０００〜３２，０００個を達成することができる。
【図面の簡単な説明】
【００１６】
【図１】本考案に係る洗浄装置の保持アーム部の分解図である。
【図２】洗浄装置の保持アームカム上においてラック歯車に取り付けられたねじベアリングの斜視図である。
【図３】洗浄装置の保持アームカム上におけるラック歯車及びねじベアリングの分解斜視図である。
【図４】Ａ部の拡大図である。
【図５】平歯車を取り付けた洗浄装置の保持アームジョー（jaw）部の斜視図である。
【図６】ヒンジ及び平歯車を取り付けた洗浄装置の保持アームジョー部の斜視図である。
【図７】洗浄装置の保持アームを取り付けた洗浄装置の正面斜視図である。
【図８】Ｇ部の拡大図である。
【図９】洗浄装置の保持アームを取り付けた洗浄装置の斜視図である。
【図１０】Ｈ部の拡大図である。
【図１１】洗浄装置の正面斜視図である。
【図１２】水充填機の斜視図である。
【図１３】Ｊ部の拡大図（洗浄装置の保持アームジョー部の斜視図）である。
【図１４】洗浄装置の保持アーム部を取り付けた洗浄装置の斜視図である。
【図１５】Ｋ部の拡大図である。
【考案を実施するための形態】
【００１７】
本考案に係る水充填機における洗浄装置の保持アーム部は、第１ねじ１と、洗浄装置の保持アームジョー部２と、ヒンジ３と、平歯車４と、リニア摺動レール５と、第１ナット６と、ラック・ピニオン歯車７と、第２ナット８と、ねじベアリング９と、洗浄装置の保持アームカム１０とを備える。
【００１８】
洗浄装置の保持アームカム１０は、４個の部品からなる。洗浄装置の保持アームカム１０は、４個未満の部品、又は４個を越える部品から構成することもできる。
【００１９】
洗浄装置の保持アームカム１０は、ＰＥＴ、ＤＥＬＲＩＮ（登録商標）、自己潤滑材料等、あらゆる適切な又は所望の材料で作ることができる。
【００２０】
洗浄装置の保持アームカム１０は、幾何学的構造に形成された所望の溝１０．１を有する。
【００２１】
洗浄装置の保持アームジョー部２には、空間部２．１の上方において平歯車４が取り付けられる（図５）。
【００２２】
洗浄装置の保持アームジョー部２には、空間部２．１の上方において平歯車４が取り付けられるとともに、ヒンジ３が取り付けられる。洗浄装置の保持アームジョー部２への平歯車４及びヒンジ３の取り付けは、第３穴３．１、第１穴２．２、第７穴４．１、第２穴２．３、及び第４穴３．２の順番に、第１ねじ１を当該各穴に貫通させて第１ナット６で締め付けることによって行う（図６）。
【００２３】
ねじベアリング９のねじ部９．１は、ラック・ピニオン歯車７の第２０穴７．１に貫通され、第２ナット８により締め付けられる。リニア摺動歯車５は、ベアリング５．１及び連結片５．２を有する。ベアリング５．１は、連結片５．２に取り付けられる。
【００２４】
第３ねじ１６は、ベアリング５．１の第８穴５．１．１に貫通され、連結片５．２の第１２穴５．２．１に取り付けられる。
【００２５】
第３ねじ１６は、ベアリング５．１の第９穴５．１．２に貫通され、連結片５．２の第１３穴５．２．２に取り付けられる。
【００２６】
第３ねじ１６は、ベアリング５．１の第１０穴５．１．３に貫通され、連結片５．２の第１４穴５．２．３に取り付けられる。
【００２７】
第３ねじ１６は、ベアリング５．１の第１１穴５．１．４に貫通され、連結片５．２の第１５穴５．２．４に取り付けられる。
【００２８】
サブ連結片１４上の管柱１３は、洗浄装置の保持アームカムスタンド１２に取り付けられる。洗浄装置の保持アームカム１０は、洗浄装置の保持アームカムスタンド１２に取り付けられる。洗浄装置の保持アーム連結フランジ１１は、洗浄装置の保持アームカム１０に取り付けられる。ラック・ピニオン歯車７が取り付けられたねじベアリング９は、洗浄装置のアームカム１０の溝１０．１に嵌められる。
【００２９】
平歯車４及びヒンジ３は、次に説明するように、第１ナット６及び第１ねじ１を用いて、洗浄装置のアームジョー部２に取り付けられる。
【００３０】
ヒンジ３を洗浄装置の保持アーム連結フランジ１１上に設け、第２ねじ１５を、ヒンジ３の第５穴３．３に貫通させ、リニア摺動レール５の第１９穴５．２．８に取り付ける。第２ねじ１５を、ヒンジ３の第６穴３．４に貫通させ、リニア摺動レール５の第１７穴５．２．６に取り付ける。リニア摺動レール５を、ねじベアリング９に取り付けられたラック・ピニオン歯車７の先端に取り付ける。第２ねじ１５を、洗浄装置の保持アーム連結フランジ１１の一方の穴に貫通させ、リニア摺動レール５の第１６穴５．２．５に取り付ける。第２ねじ１５を、洗浄装置の保持アーム連結フランジ１１の他方の穴に貫通させ、リニア摺動レール５の第１８穴５．２．７に取り付ける。
【００３１】
水充填機の洗浄装置は、水補充装置が稼動するときに、ボトル又はデミジョンを保持する。ねじベアリング９が溝１０．１内を該溝の幾何学的構造に従って移動する間、ラック・ピニオン歯車７は、前方へリニア摺動レール５上を移動し、平歯車４を回転させる。平歯車４に連結された保持アームは回転し、ボトル又はデミジョンを１８０°回転させる。洗浄が行われる。ねじベアリング９は、溝１０．１内を該溝の幾何学的構造に従って移動し、ラック・ピニオン歯車７は、リニア摺動レール５上を後方へ移動し、平歯車４を回転させる。平歯車４に連結された保持アームは、回転され、ボトル又はデミジョンを起立状態になるまで１８０°回転させる。
【００３２】
本考案の特徴的な構造の１つは、洗浄装置の保持アームカム１０、当該カムに形成された溝１０．１、及び当該溝内を移動するねじベアリング９である。本考案の特徴的な構造の２つ目は、ねじベアリング９に取り付けられるラック・ピニオン歯車７、及び該ラック・ピニオン歯車７と連動する平歯車４である。本考案の上記２つの特徴的な構造と均等なものを使用することもできる。例えば、ラック・ピニオン歯車７及び平歯車４の代わりに、空気圧機構、油圧機構、又はサーボ機構を使用することができる。
【００３３】
上記２つの特徴的な構造と均等な構造を備えたものは、本考案の技術的範囲に属する。
【符号の説明】
【００３４】
１  第１ねじ
２  洗浄装置の保持アームジョー部
２．１  空間部
２．２  第１穴
２．３  第２穴
３  ヒンジ
３．１  第３穴
３．２  第４穴
３．３  第５穴
３．４  第６穴
４  平歯車
４．１  第７穴
５  リニア摺動レール
５．１  ベアリング
５．１．１  第８穴
５．１．２  第９穴
５．１．３  第１０穴
５．１．４  第１１穴
５．２  連結部
５．２．１  第１２穴
５．２．２  第１３穴
５．２．３  第１４穴
５．２．４  第１５穴
５．２．５  第１６穴
５．２．６  第１７穴
５．２．７  第１８穴
５．２．８  第１９穴
６  第１ナット
７  ラック・ピニオン歯車
７．１  第２０穴
８  第２ナット
９  ねじベアリング
９．１  ねじ部
１０  洗浄装置の保持アームカム
１０．１  溝
１１  洗浄装置の保持アーム連結フランジ
１２  洗浄装置の保持アームカムスタンド
１３  管柱
１４  下側（サブ）連結部
１５  第２ねじ
１６  第３ねじ
【図１】
0003175755.tif 000003
【図２】
0003175755.tif 000004
【図３】
0003175755.tif 000005
【図４】
0003175755.tif 000006
【図５】
0003175755.tif 000007
【図６】
0003175755.tif 000008
【図７】
0003175755.tif 000009
【図８】
0003175755.tif 000010
【図９】
0003175755.tif 000011
【図１０】
0003175755.tif 000012
【図１１】
0003175755.tif 000013
【図１２】
0003175755.tif 000014
【図１３】
0003175755.tif 000015
【図１４】
0003175755.tif 000016
【図１５】
0003175755.tif 000017
【手続補正書】
【提出日】平成24年3月16日(2012.3.16)
【手続補正１】
【補正対象書類名】実用新案登録請求の範囲
【補正対象項目名】全文
【補正方法】変更
【補正の内容】
【実用新案登録請求の範囲】
【請求項１】
水充填機における洗浄装置の保持アームにおいて、
第１ねじ（１）と、洗浄装置の保持アームジョー部（２）と、ヒンジ（３）と、平歯車（４）と、リニア摺動レール（５）と、第１ナット（６）と、ラック・ピニオン歯車（７）と、第２ナット（８）と、ねじベアリング（９）と、洗浄装置の保持アームカム（１０）とを備え、
前記平歯車（４）及び前記ヒンジ（３）は、前記第１ねじ（１）を、前記保持アームジョー部（２）、前記ヒンジ（３）及び前記平歯車（４）に形成された穴（３．１、２．２、４．１、２．３、３．２）にそれぞれ貫通させて前記第１ナット（６）に締め付けることにより、前記保持アームジョー部（２）に取り付けられており、
前記ねじベアリング（９）のねじ部（９．１）は、前記ラック・ピニオン歯車（７）に形成された穴（７．１）に貫通して前記第２ナット（８）により締め付けられており、
前記洗浄装置の保持アームカム（１０）に形成された溝（１０．１）には、前記ねじベアリング（９）のベアリング部が挿入されており、
前記リニア摺動レール（５）が、前記ラック・ピニオン歯車（７）の先端に取り付けられている、
ことを特徴とする洗浄装置の保持アーム。
【請求項２】
請求項１に記載の洗浄装置の保持アームにおいて、
前記平歯車（４）は、前記洗浄装置の保持アームジョー部（２）の穴（２．１）に取り付けられていることを特徴とする洗浄装置の保持アーム。
【請求項３】
請求項１又は２に記載の洗浄装置の保持アームにおいて、
前記平歯車（４）は、前記洗浄装置の保持アームジョー部（２）の穴（２．１）に取り付けられ、
前記ヒンジ（３）は、前記洗浄装置の保持アームジョー部（２）に取り付けられることを特徴とする洗浄装置の保持アーム。
【請求項４】
請求項１〜３のいずれか一項に記載の洗浄装置の保持アームにおいて、
前記リニア摺動レール（５）は、ベアリング（５．１）及び連結部（５．２）を含むことを特徴とする洗浄装置の保持アーム。
【請求項５】
請求項４に記載の洗浄装置の保持アームにおいて、
前記ベアリング（５．１）は、前記連結部（５．２）に取り付けられていることを特徴とする洗浄装置の保持アーム。
【請求項６】
請求項１〜５のいずれか一項に記載の洗浄装置の保持アームにおいて、
前記洗浄装置の保持アームカム（１０）が取り付けられた洗浄装置の保持アームカムスタンド（１２）を備えたことを特徴とする洗浄装置の保持アーム。
【請求項７】
請求項１〜６のいずれか一項に記載の洗浄装置の保持アームにおいて、
前記洗浄装置の保持アームカム（１０）に取り付けられた洗浄装置の保持アーム連結フランジ（１１）を備えたことを特徴とする洗浄装置の保持アーム。
【請求項８】
請求項７に記載の洗浄装置の保持アームにおいて、
前記ヒンジ（３）は、前記洗浄装置の保持アーム連結フランジ（１１）上に設けられていることを特徴とする洗浄装置の保持アーム。
【請求項９】
請求項７に記載の洗浄装置の保持アームにおいて、
前記ヒンジ（３）が、前記洗浄装置の保持アーム連結フランジ（１１）上に設けられ、
第２ねじ（１５）が、前記ヒンジ（３）の第６穴（３．４）に貫通し、前記リニア摺動レール（５）の第１７穴（５．２．６）に取り付けられている、
ことを特徴とする洗浄装置の保持アーム。
【請求項１０】
請求項７又は９に記載の洗浄装置の保持アームにおいて、
前記ヒンジ（３）が、前記洗浄装置の保持アーム連結フランジ（１１）上に設けられ、
第２ねじ（１５）が、前記ヒンジ（３）の第５穴（３．３）に貫通し、前記リニア摺動レール（５）の第１９穴（５．２．８）に取り付けられていることを特徴とする洗浄装置の保持アーム。
【請求項１１】
請求項７〜１０のいずれか一項に記載の洗浄装置の保持アームにおいて、
第２ねじ（１５）が、前記洗浄装置の保持アーム連結フランジ（１１）の一方の穴を通過し、前記リニア摺動レール（５）の第１６穴（５．２．５）に取り付けられていることを特徴とする洗浄装置の保持アーム。
【請求項１２】
請求項１１に記載の洗浄装置の保持アームにおいて、
第２ねじ（１５）が、前記洗浄装置の保持アーム連結フランジ（１１）の他方の穴を通過し、前記リニア摺動レール（５）の第１８穴（５．２．７）に取り付けられていることを特徴とする洗浄装置の保持アーム。